(57)【要約】【課題】  容易に折り畳み広げることができるバルーン照明機を提供する。【解決手段】  本発明では、照明バルーン６が平行リンク機構４を介してバルーン支持部に支持されたバルーン照明機において、平行リンク機構４は、バルーン支持部に連結されて上方へ延びた支持側連結部材４１と、支持側連結部材４１に上下に所定間隔をおいて枢結された一対の第１および第２平行連結部材４２，４３と、第１および第２平行連結部材４２，４３が互いに略平行となり、且つ支持側連結部材４１に対し略平行に延びるように第１および第２平行連結部材４２，４３と枢結されたバルーン側連結部材４４とを有し、バルーン側連結部材４４に照明バルーン６が取り付けられるように構成されており、第２平行連結部材４３が支持側連結部材４１との枢結部を超えて外方へ延出するとともに、この延出部４３ａの先端にバランスウェイト５１が設けられる。【選択図】  図８
2005310442.tif 000002
【特許請求の範囲】
【請求項１】
バルーン支持部と、前記バルーン支持部に支持された平行リンク機構と、前記平行リンク機構を介して前記バルーン支持部に支持された照明バルーンとを備え、前記照明バルーンが、光源と、前記光源を内部に有するバルーンとを有し、前記バルーンに前記光源からの光を透過させて発光するように構成されたバルーン照明機において、
前記平行リンク機構は、前記バルーン支持部に連結されて上方へ延びた支持側連結部材と、
前記支持側連結部材に上下に所定間隔をおいて枢結された一対の平行連結部材と、
前記一対の平行連結部材が互いに略平行となり、且つ前記支持側連結部材に対し略平行に延びるように前記一対の平行連結部材と枢結されたバルーン側連結部材とを有し、
前記バルーン側連結部材に前記照明バルーンが取り付けられるように構成されており、
前記平行連結部材の一方が前記支持側連結部材との枢結部を超えて外方へ延出するとともに、この延出部の先端にバランスウェイトが設けられることを特徴とするバルーン照明機。
【請求項２】
前記照明バルーンを、前記照明バルーンが前記平行リンク機構を用いて上方に位置するバルーン上昇位置と、前記照明バルーンが前記平行リンク機構を用いて前記バルーン上昇位置の下方に位置するバルーン下降位置とに固定可能なバルーン固定装置を備えて構成されることを特徴とする請求項１に記載のバルーン照明機。
【請求項３】
一方の前記平行連結部材に、前記照明バルーンが前記バルーン上昇位置もしくは前記バルーン下降位置に位置すると他方の前記平行連結部材に当接するストッパー部材が設けられ、
前記ストッパー部材が前記他方の前記平行連結部材に当接すると、前記照明バルーンの前記バルーン上昇位置から上方、もしくは前記バルーン下降位置から下方への移動が規制されるとともに、前記一対の平行連結部材の間隔が所定間隔だけ保持されるように構成されることを特徴とする請求項１もしくは請求項２に記載のバルーン照明機。
【請求項４】
前記バランスウェイトに、前記バランスウェイトが設けられる前記平行連結部材を揺動させるための取っ手部が設けられることを特徴とする請求項１から請求項３のうちいずれか一項に記載のバルーン照明機。
【請求項５】
前記バルーン支持部が、移動自在の台車と、前記台車上に配設されて上端が前記支持側連結部材と連結される昇降装置とを有して構成されることを特徴とする請求項１から請求項４のうちいずれか一項に記載のバルーン照明機。
【発明の詳細な説明】
【技術分野】
【０００１】
本発明は、土木工事現場やイベント催場などの夜間照明用に使用されるバルーン照明機に関する。
【背景技術】
【０００２】
道路等の新設、修復工事は、交通規制等のため夜間に行われることが度々であり、また、工事の性質上移動が伴うため、移動性のある夜間照明として移動台車を備えた投光機が用いられている。従来の投光機では、照明灯を構成する電球から光が直接的に発光するとともに、リフレクタで反射した光がリフレクタの照射範囲内で照射されるため、投光機が発する光は眩しく、例えば、投光機からの光が走行車両の運転者の目に直接入るとグレアにより一瞬目が見えなくなる等のおそれがあり、運転がしづらくなるという問題があった。
【０００３】
そこで、近年、道路等の新設、修復工事には、目に優しい照明が得られる照明バルーンを備えたバルーン照明機が使用され始めている。バルーン照明機に用いられる照明バルーンは、光源としての電球と、この電球を内部に有する伸縮自在なバルーンとを有して構成され、電球からの光をバルーンに透過させることで発光するようになっている。これにより、電球からの光がバルーンを介して発せられるため、グレアが低く目に優しい照明を得ることができる。
【０００４】
ところで、バルーン照明機には、例えば、特開２００４−９５５１７号公報で開示されるように、照明バルーンを垂直状態から所定角度の傾斜状態まで傾斜させるバルーン傾斜角度調整装置を備えたものが考案されている。このような構成のバルーン照明機によれば、バルーン傾斜角度調整装置により照明バルーンを傾斜状態まで傾斜させることにより、バルーン照明機を小さく折り曲げることが可能となり、バルーン照明機の収納スペース（特に、収容高さ）を小さくすることができる。
【特許文献１】特開２００４−９５５１７号公報
【発明の開示】
【発明が解決しようとする課題】
【０００５】
しかしながら、照明バルーンは比較的重いため、例えば、バルーン傾斜角度調整装置を用いて、照明バルーンを傾斜状態（バルーン照明機が折り曲げられた状態）から垂直状態（バルーン照明機が真っ直ぐに伸びた状態）に起こそうとすると、照明バルーンを起こすのに比較的大きな力が必要となり、照明バルーンを垂直状態に起こす作業、すなわちバルーン照明機を真っ直ぐに伸ばす作業が比較的重労働となっていた。
【０００６】
本発明は、このような問題に鑑みてなされたものであり、容易に折り畳み広げることができるバルーン照明機を提供することを目的とする。
【課題を解決するための手段】
【０００７】
このような目的達成のため、本発明では、バルーン支持部と、バルーン支持部に支持された平行リンク機構と、平行リンク機構を介してバルーン支持部に支持された照明バルーンとを備え、照明バルーンが、光源（例えば、実施形態における照明装置７０）と、光源を内部に有するバルーンとを有し、バルーンに光源からの光を透過させて発光するように構成されたバルーン照明機において、平行リンク機構は、バルーン支持部に連結されて上方へ延びた支持側連結部材と、支持側連結部材に上下に所定間隔をおいて枢結された一対の平行連結部材と、一対の平行連結部材が互いに略平行となり、且つ支持側連結部材に対し略平行に延びるように一対の平行連結部材と枢結されたバルーン側連結部材とを有し、バルーン側連結部材に照明バルーンが取り付けられるように構成されており、平行連結部材の一方が支持側連結部材との枢結部を超えて外方へ延出するとともに、この延出部の先端にバランスウェイトが設けられる。
【０００８】
また、上述のバルーン照明機において、照明バルーンを、照明バルーンが平行リンク機構を用いて上方に位置するバルーン上昇位置と、照明バルーンが平行リンク機構を用いてバルーン上昇位置の下方に位置するバルーン下降位置とに固定可能なバルーン固定装置を備えて構成されることが好ましい。
【０００９】
さらに、上述のバルーン照明機において、一方の平行連結部材に、照明バルーンがバルーン上昇位置もしくはバルーン下降位置に位置すると他方の平行連結部材に当接するストッパー部材が設けられ、ストッパー部材が他方の平行連結部材に当接すると、照明バルーンのバルーン上昇位置から上方、もしくはバルーン下降位置から下方への移動が規制されるとともに、一対の平行連結部材の間隔が所定間隔だけ保持されるように構成されることが好ましい。
【００１０】
また、上述のバルーン照明機において、バランスウェイトに、バランスウェイトが設けられる平行連結部材を揺動させるための取っ手部が設けられることが好ましい。
【００１１】
さらに、上述のバルーン照明機において、バルーン支持部が、移動自在の台車と、台車上に配設されて上端が支持側連結部材と連結される昇降装置とを有して構成されることが好ましい。
【発明の効果】
【００１２】
本発明によれば、平行リンク機構に構成される平行連結部材の一方が支持側連結部材との枢結部を超えて外方へ延出するとともに、この平行連結部材における延出部の先端にバランスウェイトが設けられるため、支持側連結部材を介して照明バルーンの反対側に位置するバランスウェイトの重力により、照明バルーンをバルーン支持部に対し大きな力を必要とせずにゆっくりと（平行リンク機構を介して）上下移動させることができる。そのため、照明バルーンをバルーン支持部に対し平行リンク機構を介して容易に上下移動させることができることから、バルーン照明機を容易に折り畳み広げることができる。
【００１３】
また、照明バルーンをバルーン上昇位置とバルーン下降位置とに固定可能なバルーン固定装置を備えて構成されることで、照明バルーンをバルーン上昇位置およびバルーン下降位置に容易に固定することができる。
【００１４】
さらに、一方の平行連結部材に設けられたストッパー部材により、照明バルーンのバルーン上昇位置から上方、もしくはバルーン下降位置から下方への移動を規制して、一対の平行連結部材の間隔が所定間隔だけ確保されるようにすることで、各平行連結部材の間に異物を挟んでしまうことを防止することができる。
【００１５】
また、バランスウェイトに、バランスウェイトが設けられる平行連結部材を揺動させるための取っ手部が設けられることで、バルーン照明機をより容易に折り畳み広げることができる。
【００１６】
さらに、バルーン支持部が、移動自在の台車と、台車上に配設された昇降装置とを有して構成されることで、バルーン照明機を容易に移動させることができるとともに、バルーン照明機（照明バルーン）の高さを容易に変えることができる。
【発明を実施するための最良の形態】
【００１７】
以下、本発明の好ましい実施形態について図面を参照しながら説明する。本発明に係るバルーン照明機１を図１および図２に示している。このバルーン照明機１は、バルーン支持部２と、バルーン支持部２に支持された平行リンク機構４と、平行リンク機構４を介してバルーン支持部２に支持された照明バルーン６とを主体に構成される。バルーン支持部２は、移動自在の台車２０と、この台車２０上に配設された伸縮可能な昇降装置３０とを備えて構成される。
【００１８】
台車２０は、左右一対の前輪２１および後輪２２を備えて、移動自在に構成されており、バルーン照明機１を容易に移動させることができるようになっている。台車２０には、前後輪２１，２２の方向変換用の操向ハンドル２３や、後輪２２を制動するブレーキ装置２４、左右一対のアウトリガー２５等が設けられている。また、台車２０上には、照明バルーン６に電力を供給可能な発電機２６が載置固定されている。
【００１９】
昇降装置３０は、台車２０上に立設固定された第１マスト３１と、第１マスト３１内に出入り自在に挿嵌された第２マスト３２と、第２マスト３２内に出入り自在に挿嵌された第３マスト３３とを主体に構成され、この第３マスト３３の上端部には、図９に示すように、平行リンク機構４の支持側連結部材４１（マスト連結部４７）が連結される。そして、第２マスト３２及び第３マスト３３は、第１マスト３１に配設されたウィンチ３５のハンドル３６を回してワイヤーロープ３７を巻き取ることにより、第３マスト３３、第２マスト３２の順に段階的に上昇し、ウィンチ３５のハンドル３６を逆回転してワイヤーロープ３７を繰り出すことにより、第２マスト３２、第３マスト３３の順に段階的に下降するようになっている。
【００２０】
照明バルーン６は、図３および図４に示すように、薄い可撓性の材料からなる膨張可能なバルーン６０と、このバルーン６０内の中央に配設された照明装置７０と、バルーン６０を膨張又は収縮させるバルーン膨張・収縮装置９０とを備えて構成される。
【００２１】
バルーン６０は、図３に示すように、膨張状態において略楕円形態を呈し、長軸に沿って上下の半楕円部６１，６２に分割され、これら上下の半楕円部６１，６２をマジックテープ（登録商標）等の面状ファスナ６３により係脱可能につなぎ合わせて形成されている。バルーン６０の材料としては、例えば、プラスチック処理が施された白色の布や、単純な白色のプラスチック製フィルム等がある。そして、上側の半楕円部６１の内側は、アルミコーティングされた光反射板になっている。また、下側の半楕円部６２の内面には、後述するピアノ線等からなる複数のバネ部材８７をそれぞれ挿通させる複数のチューブ部６４が形成されている。
【００２２】
照明装置７０は、図３および図４に示すように、光源としての電球７１と、この電球７１を保護する保護枠体７２と、これらを支持する支持脚部８５とを備えて構成される。電球７１は、メタルハライド型であることが好ましく、高電力（例えば、１０００Ｗ）で、二重壁の細長い管により形成されている。
【００２３】
保護枠体７２は、電球７１を取り囲んで等間隔に配置された複数個の保護柱７３，７３，…を有し、保護柱７３，７３，…の各上端が上部支持部材７４で固定されるとともに、保護柱７３，７３，…の各下端が電球支持部材７５で固定されることにより、保護枠体７２の形状が確保される。また、電球支持部材７５の中央上面にソケット７６が固定されており、このソケット７６に電球７１が立設されるようになっている。
【００２４】
保護枠体７２の上部支持部材７４は、その中央上面に円筒部７７を有し、この円筒部７７の外周にバルーン６０の上側を支持する円板状の上側支持部７８が形成される。上側支持部７８の下面外周付近には、複数の支持ブラケット７９，７９，…が設けられている。そして、ソケット７６に立設された電球７１の上部外周を係止金具８０で係止して、この係止金具８０の上方延出部８０ａを円筒部７７の内部に下方から挿入して係止することにより、電球７１の動揺を防止するようにしている。
【００２５】
また、バルーン６０における上側の半楕円部６１の上部中心に形成された孔８１に、上部支持部材７４の円筒部７７を挿入して上側支持部７８で支持するとともに、円筒部７７の上部にキャップ形状の抜止め部材８２を嵌合固定することによってバルーン６０の上部を固定支持している。
【００２６】
また、保護枠体７２の下部をなす電球支持部材７５の中央には、バルーン６０の下方まで延設された長尺の支持脚部８５が連結固定されている。図７に示すように、支持脚部８５には、バルーン６０が膨張状態にあるときの上端側とバルーン６０が収縮状態にある下端側とに、それぞれ係止孔８６ａ，８６ｂが設けられている。これら係止孔８６ａ，８６ｂには、後述するインデックスプランジャ１０１（バルーン固定部１００）のピン１０３が係止されるようになっている。
【００２７】
バルーン６０の内面側には、複数のバネ部材８７が周方向に等間隔で配置されている。これらのバネ部材８７は、バルーン６０における下側の半楕円部６２の内面に設けられた複数のチューブ部６４に挿通されるとともに、バネ部材８７の各上端は上側支持部７８の各支持ブラケット７９，７９，…にピンで回動自在に取り付けられている。さらに、バネ部材８７の各下端は、バルーン６０の下側を支持する下側支持部８８の各支持ブラケット８９，８９，…にピンで回動自在に取り付けられている。
【００２８】
バルーン膨張・収縮装置９０は、図５に示すように、バルーン６０の下側支持部８８が連結されるバルーン連結部９１と、支持脚部８５をバルーン６０の下側支持部８８およびバルーン連結部９１に対し固定するためのバルーン固定部１００とを有して構成されており、バルーン連結部９１が平行リンク機構４のバルーン側連結部材４４に対し側方へオフセットするように連結されている。
【００２９】
バルーン連結部９１は、図５および図６に示すように、対称的に分割された一対の半円筒部９１ａ，９１ｂからなる円筒状に形成されており、これら半円筒部９１ａ，９１ｂの一側係合部は上下一対の蝶番９２により連結し、他側係合部を開閉可能に形成されている。また、半円筒部９１ａ，９１ｂの他側係合部には、両半円筒部９１ａ，９１ｂを開閉可能に円筒状に係合させる係合手段９４が設けられている。
【００３０】
この係合手段９４は、図６に示すように、一方の半円筒部９１ａに設けられた支持ブラケット９５と、他方の半円筒部９１ｂに設けられた係止部９６と、基部が支持ブラケット９５にピン軸９７を介して回動自在に連結されるとともに先端部が係止部９６の係止溝９６ａに係脱可能に係合されるネジ軸９８と、このネジ軸９８に螺着された蝶ナット９９とを有して構成される。そして、支持ブラケット９５に連結されたネジ軸９８を係止部９６の係止溝９６ａに係合させ、このネジ軸９８に蝶ナット９９を螺合させて締め込むことにより、両半円筒部９１ａ，９１ｂが互いに係合しつつ下側支持部８８の下面側中央に形成される筒状部８８ａを挟持することで、下側支持部８８（すなわち、バルーン６０）がバルーン連結部９１に連結固定されるようになっている。
【００３１】
バルーン固定部１００は、図７に示すように、下側支持部８８の筒状部８８ａに取り付けられてバルーン連結部９１の通過孔９３から外方へ突出するインデックスプランジャ１０１により構成されている。このインデックスプランジャ１０１は、外周部にネジ１０２を有し、内部にピン１０３とこのピン１０３を突出方向へ付勢するスプリング１０４とを内装する本体１０５と、この本体１０５に連接されスプリング１０４の付勢力を調節する操作ノブ１０６及び外周部のネジ１０１に螺合されたロックナット１０７とから構成される。
【００３２】
そして、下側支持部８８の筒状部８８ａに挿通された支持脚部８５の上下の係止孔８６ａ，８６ｂのいずれかにインデックスプランジャ１０１のピン１０３を係止させることで、支持脚部８５がバルーン６０の下側支持部８８およびバルーン連結部９１に対して固定されるようになっている。なお、操作ノブ１０６を引き、９０°回転させることにより、ピン１０３を引っ込めた状態にロックすることができる。また、ピン１０３のロック解除は、操作ノブ１０６をわずかに引き、９０°回転させることにより、スプリング１０４の付勢力で元の状態に戻すことができる。
【００３３】
なお、本実施形態では、バルーン連結部９１の通過孔９３から本体１０５を挿入して下側支持部８８の筒状部８８ａに形成したネジ孔８８ｂに螺合させ、ロックナット１０７により本体１０５を下側支持部８８の筒状部８８ａに固定している。また、照明バルーン６の支持脚部８５は、下側支持部８８の筒状部８８ａに上下移動可能に挿通され、図３および図４に示すように、その上端部が電球支持部材７５と連結される。なお、支持脚部８５の下端部には昇降操作用の握手８５ａが設けられている。また、図３および図４に示すように、下側支持部８８の筒状部８８ａは、下側支持部８８の上方にも所定高さだけ突出しており、その上端部が電球支持部材７５の最下降位置のストッパーとなっている。
【００３４】
平行リンク機構４は、図８および９に示すように、バルーン支持部２の昇降装置３０に連結されて上方へ延びた支持側連結部材４１と、支持側連結部材４１に上下に所定間隔をおいて枢結された一対の第１および第２平行連結部材４２，４３と、第１および第２平行連結部材４２，４３が互いに略平行となり、且つ支持側連結部材４１に対し略平行に延びるように第１および第２平行連結部材４２，４３と枢結されたバルーン側連結部材４４とを主体に構成される。
【００３５】
支持側連結部材４１は、真鍮やアルミニウム等の金属材料を用いて上下に延びる略板状に形成され、支持側連結部材４１の下部が第１支持側連結ピン４１ａを用いて第１平行連結部材４２と枢結されるとともに、支持側連結部材４１の中央部が第２支持側連結ピン４１ｂを用いて第２平行連結部材４３と枢結される。支持側連結部材４１の上部には、図９および図１１に示すように、支持側連結部材４１の側方へ延びる連結アーム部４６を介してマスト連結部４７が連結されており、このマスト連結部４７に昇降装置３０を構成する第３マスト３３（図９を参照）の上端が連結されるようになっている。これにより、支持側連結部材４１と昇降装置３０とが連結されて、平行リンク機構４がバルーン支持部２に支持される。
【００３６】
第１平行連結部材４２は、図８に示すように、支持側連結部材４１と同様の材料を用いて略板状に形成され、一端側が支持側連結部材４１の下部と枢結されるとともに、他端側がバルーン側連結部材４４の下部と枢結される。一方、第２平行連結部材４３は、支持側連結部材４１と同様の材料を用いて略板状に形成され、一端側が支持側連結部材４１の中央部と枢結されるとともに、他端側がバルーン側連結部材４４の上部と枢結される。すなわち、第２平行連結部材４３は、第１平行連結部材４２の上方に所定間隔をおいて（第１平行連結部材４２と略平行に）設けられる。
【００３７】
バルーン側連結部材４４は、支持側連結部材４１と同様の材料を用いて上下に延びる略板状に形成され、バルーン側連結部材４４の下部が第１バルーン側連結ピン４４ａを用いて第１平行連結部材４２と枢結されるとともに、バルーン側連結部材４４の上部が第２バルーン側連結ピン４４ｂ（図９および図１１を参照）を用いて第２平行連結部材４３と枢結される。このとき、第１および第２バルーン側連結ピン４４ａ，４４ｂの間隔は、第１および第２支持側連結ピン４１ａ，４１ｂの間隔と等しくなるように設定されており、バルーン側連結部材４４は、第１および第２平行連結部材４２，４３が互いに略平行となり、且つ支持側連結部材４１に対し略平行に延びるように第１および第２平行連結部材４２，４３と枢結される。
【００３８】
また、バルーン側連結部材４４の上部には、図５および図９に示すように、バルーン側連結部材４４の側方へ延びる中継アーム部４９を介して前述のバルーン連結部９１が連結されており、このバルーン連結部９１に照明バルーン６（バルーン６０）が連結されるようになっている。これにより、バルーン側連結部材４４に照明バルーン６が取り付けられ、照明バルーン６が平行リンク機構４を介してバルーン支持部２に支持される。このとき、照明バルーン６は、第１および第２平行連結部材４２，４３が支持側連結部材４１に対して上下に揺動するのに伴い、バルーン側連結部材４４とともに支持側連結部材４１（およびバルーン支持部２）に対して上下に平行移動し、支持側連結部材４１の上方に位置するバルーン上昇位置（図８および図９を参照）と、このバルーン上昇位置の下方に位置するバルーン下降位置（図１０および図１１を参照）とに変位可能となる。
【００３９】
なお、図８および図１０に示すように、第１平行連結部材４２の一端側上部（支持側連結部材４１近傍）には、照明バルーン６がバルーン上昇位置もしくはバルーン下降位置に位置すると第２平行連結部材４３に当接するストッパー部材４８が設けられており、ストッパー部材４８が第２平行連結部材４３に当接すると、照明バルーン６のバルーン上昇位置から上方、もしくはバルーン下降位置から下方への移動が規制されるとともに、第１および第２平行連結部材４２，４３の間隔が所定間隔だけ保持されるようになっている。これにより、各平行連結部材４２，４３の間に異物を挟んでしまうことを防止することができる。なお、第２平行連結部材４３に上記ストッパー部材を設けてもよい。
【００４０】
ところで、第２平行連結部材４３の一端側には、支持側連結部材４１との枢結部（第２支持側連結ピン４１ｂ）を超えて外方へ延出するように延出部４３ａが形成されており、この延出部４３ａの先端にバランスウェイト５１が設けられている。バランスウェイト５１は、照明バルーン６に近い重量を有するように設定されており、このバランスウェイト５１には、バランスウェイト５１が設けられる第２平行連結部材４３を揺動させるための取っ手部５２が設けられている。
【００４１】
また、支持側連結部材４１と第１平行連結部材４２とに跨って、照明バルーン６をバルーン上昇位置もしくはバルーン下降位置に固定可能なバルーン固定装置５５が設けられている。このバルーン固定装置５５は、支持側連結部材４１の下端部に設けられたインデックスプランジャ５６と、第１平行連結部材４２の一端側に設けられた扇部５７とを備えて構成される。バルーン固定装置５５のインデックスプランジャ５６は、支持側連結部材４１の下端部に取り付けられるほかは、前述したバルーン固定部１００のインデックスプランジャ１０１と同様の構成であり、詳細図示および説明を省略する。
【００４２】
扇部５７は、第１平行連結部材４２の一端側に扇状に形成されており、その外周部は第１支持側連結ピン４１ａを中心軸とする円弧となっている。この扇部５７には、照明バルーン６がバルーン上昇位置に位置するときにインデックスプランジャ５６のピン（図示せず）が係止する第１係止孔５８ａと、照明バルーン６がバルーン下降位置に位置するときにインデックスプランジャ５６のピンが係止する第２係止孔５８ｂとが形成される。そして、インデックスプランジャ５６のピンを第１もしくは第２係止孔５８ａ，５８ｂに係止させることで、照明バルーン６がバルーン上昇位置もしくはバルーン下降位置に固定される。これにより、照明バルーン６をバルーン上昇位置およびバルーン下降位置に容易に固定することができる。
【００４３】
このように構成されるバルーン照明機１において、バルーン照明機１の収納および運搬時には、図２に示すように、バルーン６０が収縮した状態で照明バルーン６がバルーン下降位置に位置しており、バルーン照明機１が折り畳まれた状態になっている。バルーン照明機１を使用するときには、まず、バルーン固定装置５５のインデックスプランジャ５６を操作してインデックスプランジャ５６のピン（図示せず）を扇部５７の第２係止孔５８ｂから離脱させる。
【００４４】
次に、平行リンク機構４の取っ手部５２を掴んで下方へ変位させることにより、第２平行連結部材４３を第１平行連結部材４２とともに（支持側連結部材４１に対し）上方へ揺動させ、図８および図９に示すように、照明バルーン６をバルーン上昇位置に位置させる。続いて、バルーン固定装置５５のインデックスプランジャ５６を操作してインデックスプランジャ５６のピンを扇部５７の第１係止孔５８ａに係止させ、照明バルーン６をバルーン上昇位置に固定する。
【００４５】
このとき、支持側連結部材４１を介して照明バルーン６の反対側に位置するバランスウェイト５１の重力により、照明バルーン６をバルーン支持部２に対し大きな力を必要とせずにゆっくりと（平行リンク機構４を介して）上下移動させることができる。そのため、照明バルーン６をバルーン支持部２に対し平行リンク機構４を介して容易に上下移動させることができ、バルーン照明機１を容易に折り畳み広げることができる。
【００４６】
次に、照明バルーン６をバルーン上昇位置に固定した状態で、バルーン固定部１００のインデックスプランジャ１０１を操作してピン１０３を支持脚部８５の下端側の係止孔８６ｂから離脱させる。そして、図３に示すように、照明バルーン６の支持脚部８５を下方へ引き下げて電球支持部材７５をバルーン６０内の下方位置に相対移動させ、バネ部材８７をそれぞれ楕円形状に湾曲させることによりバルーン６０を膨張状態にし、支持脚部８５の上端側の係止孔８６ａにインデックスプランジャ１０１のピン１０３を係止させて、支持脚部８５をバルーン６０の下側支持部８８およびバルーン連結部９１に対し固定する。これにより、図１に示すように、バルーン６０が膨張した状態で照明バルーン６がバルーン上昇位置に位置し、バルーン照明機１が広げられて使用可能な状態となる。
【００４７】
さらに、昇降装置３０に構成される第１マスト３１に取り付けられたウィンチ３５のハンドル３６を回してワイヤーロープ３７を巻き取ることで、第３マスト３３および第２マスト３２を段階的に上昇させることにより、照明バルーン６を所望の高さまで上昇させ、この状態でバルーン照明機１が使用に供される。
【００４８】
一方、図１に示す状態から照明バルーン６を収納するときには、まず、バルーン固定部１００のインデックスプランジャ１０１を操作してピン１０３を支持脚部８５の上端側の係止孔８６ａから離脱させる。次に、図４に示すように、照明バルーン６の支持脚部８５を照明バルーン６内へ押し上げて電球支持部材７５をバルーン６０内の中央位置に相対移動させ、バネ部材８７をそれぞれ元の伸びた状態に戻してバルーン６０を収縮状態にし、支持脚部８５の下端側の係止孔８６ｂにインデックスプランジャ１０１のピン１０３を係止させて、支持脚部８５をバルーン６０の下側支持部８８およびバルーン連結部９１に対し固定する。
【００４９】
続いて、バルーン６０が収縮した状態で、バルーン固定装置５５のインデックスプランジャ５６を操作してインデックスプランジャ５６のピン（図示せず）を扇部５７の第１係止孔５８ａから離脱させる。次に、平行リンク機構４の取っ手部５２を掴んで上方へ変位させることにより、第２平行連結部材４３を第１平行連結部材４２とともに（支持側連結部材４１に対し）下方へ揺動させ、図１０および図１１に示すように、照明バルーン６をバルーン下降位置に位置させる。
【００５０】
そして、バルーン固定装置５５のインデックスプランジャ５６を操作してインデックスプランジャ５６のピンを扇部５７の第２係止孔５８ｂに係止させ、照明バルーン６をバルーン下降位置に固定する。これにより、図２に示すように、バルーン６０が収縮した状態で照明バルーン６がバルーン下降位置に位置し、バルーン照明機１が折り畳まれた状態になる。そのため、照明バルーン６をコンパクトに収納でき、高さ方向に嵩張らないため、トラックでの運搬や倉庫への格納を容易に行うことができる。
【００５１】
以上のような構成のバルーン照明機１によれば、平行リンク機構４に構成される第２平行連結部材４３が支持側連結部材４１との枢結部（第２支持側連結ピン４１ｂ）を超えて外方へ延出するとともに、この第２平行連結部材４３における延出部４３ａの先端にバランスウェイト５１が設けられるため、支持側連結部材４１を介して照明バルーン６の反対側に位置するバランスウェイト５１の重力により、照明バルーン６をバルーン支持部２に対し大きな力を必要とせずにゆっくりと（平行リンク機構４を介して）上下移動させることができる。そのため、照明バルーン６をバルーン支持部２に対し平行リンク機構４を介して容易に上下移動させることができることから、バルーン照明機１を容易に折り畳み広げることができる。
【００５２】
また、照明バルーン６をバルーン上昇位置とバルーン下降位置とに固定可能なバルーン固定装置５５を備えて構成されることで、照明バルーン６をバルーン上昇位置およびバルーン下降位置に容易に固定することができる。
【００５３】
さらに、第１平行連結部材４２に設けられたストッパー部材４８により、照明バルーン６のバルーン上昇位置から上方、もしくはバルーン下降位置から下方への移動を規制して、第１および第２平行連結部材４２，４３の間隔が所定間隔だけ確保されるようにすることで、各平行連結部材４２，４３の間に異物を挟んでしまうことを防止することができる。
【００５４】
また、バランスウェイト５１に、バランスウェイト５１が設けられる第２平行連結部材４３を揺動させるための取っ手部５２が設けられることで、バルーン照明機１をより容易に折り畳み広げることができる。
【００５５】
さらに、バルーン支持部２が、移動自在の台車２０と、台車２０上に配設された昇降装置３０とを有して構成されることで、バルーン照明機１を容易に移動させることができるとともに、バルーン照明機１（照明バルーン６）の高さを容易に変えることができる。
【００５６】
なお、上述の実施形態において、バルーン支持部２が、移動自在の台車２０と、台車２０上に配設された昇降装置３０とを有して構成されているが、これに限られるものではなく、折り畳み可能な三脚と、この三脚上に配設されて上端がリンク機構４（支持側連結部材４１）と連結される伸縮可能な支持装置とを有して構成されるようにしてもよい。
【００５７】
また、第２平行連結部材４３が支持側連結部材４１との枢結部（第２支持側連結ピン４１ｂ）を超えて外方へ延出するとともに、この第２平行連結部材４３における延出部４３ａの先端にバランスウェイト５１が設けられているが、これに限られるものではなく、第１平行連結部材が支持側連結部材４１との枢結部を超えて外方へ延出するとともに、この第１平行連結部材における延出部の先端にバランスウェイトが設けられるようにしてもよい。
【図面の簡単な説明】
【００５８】
【図１】本発明に係るバルーン照明機において、照明バルーンがバルーン上昇位置に位置する状態を示す側面図である。
【図２】上記バルーン照明機において、照明バルーンがバルーン下降位置に位置する状態を示す側面図である。
【図３】膨張状態にある照明バルーンの側面拡大図（部分断面図）である。
【図４】収縮状態にある照明バルーンの側面拡大図（部分断面図）である。
【図５】上記バルーン照明機に構成されるバルーン膨張・収縮装置の正面図である。
【図６】図８中の矢印VI−VIに沿った平断面図である。
【図７】バルーン膨張・収縮装置の連結構造を示す断面図である。
【図８】照明バルーンがバルーン上昇位置に位置するときの平行リンク機構の側面図である。
【図９】照明バルーンがバルーン上昇位置に位置するときの平行リンク機構の正面図である。
【図１０】照明バルーンがバルーン下降位置に位置するときの平行リンク機構の側面図である。
【図１１】照明バルーンがバルーン下降位置に位置するときの平行リンク機構の正面図である。
【符号の説明】
【００５９】
１  バルーン照明機
２  バルーン支持部
４  平行リンク機構
６  照明バルーン
２０  台車
３０  昇降装置
４１  支持側連結部材（４１ａ  第１支持側連結ピン、４１ｂ  第２支持側連結ピン）
４２  第１平行連結部材
４３  第２平行連結部材（４３ａ  延出部）
４４  バルーン側連結部材
（４４ａ  第１バルーン側連結ピン、４４ｂ  第２バルーン側連結ピン）
４８  ストッパー部材
５１  バランスウェイト
５２  取っ手部
５５  バルーン固定装置
６０  バルーン
７０  照明装置（光源）
【図１】
2005310442.tif 000003
【図２】
2005310442.tif 000004
【図３】
2005310442.tif 000005
【図４】
2005310442.tif 000006
【図５】
2005310442.tif 000007
【図６】
2005310442.tif 000008
【図７】
2005310442.tif 000009
【図８】
2005310442.tif 000010
【図９】
2005310442.tif 000011
【図１０】
2005310442.tif 000012
【図１１】
2005310442.tif 000013